(57)【要約】      （修正有）【課題】櫛刃が微動して櫛刃を構成する梳刃が微動して所望する毛髪の梳き量を一本の鋏で梳くことができるようにする。【解決手段】棒刃ａは、偏心枢着軸ｃが棒刃ａに偏心軸杆ｃをなす雄ネジ付き偏心軸杆５が貫通する大径貫通孔と中径貫通孔とを順次形成し、櫛刃ｂは、偏心枢着軸ｃをなす頭部４の裏面より突設する嵌挿誘導部と偏心軸杆５が貫通する貫通孔を形成し、偏心枢着軸ｃは、偏心軸杆５を頭部４の中心より偏心させて垂下状に突設させ、偏心枢着軸ｃの偏心軸杆５の嵌挿誘導部と偏心軸杆５を貫通孔から棒刃ａの中径貫通孔と大径貫通孔に貫通し、ナット１４を大径貫通孔に嵌挿して偏心軸杆５と螺着し、偏心枢着軸ｃの頭部４を回転せしめ、棒刃ａに対し櫛刃ｂがスライドして、棒刃ａの梳刃と櫛刃ｂの梳刃との噛み合せが変化するように組立てた。【選択図】図１
0003136942.tif 000002
【実用新案登録請求の範囲】
【請求項１】
梳刃を並列する棒刃と、梳刃を並列する櫛刃を交叉状に偏心する偏心枢着軸を枢着せしめる開閉自在な調髪用梳き鋏において、前記棒刃は、前記偏心枢着軸が前記棒刃に前記偏心軸杆を構成する雄ネジ付き偏心軸杆が貫通する大径貫通孔と中径貫通孔とを順次形成し、前記櫛刃は、前記偏心枢着軸を構成する頭部の裏面より突設する嵌挿誘導部が嵌挿する嵌挿部と前記偏心軸杆が貫通する貫通孔を形成し、前記偏心枢着軸は、前記偏心軸杆を前記頭部の中心よりも偏心させて垂下状に突設せしめ、前記偏心枢着軸の偏心軸杆の前記嵌挿誘導部を前記嵌挿部に嵌挿し、前記偏心軸杆を前記貫通孔から前記棒刃の中径貫通孔と大径貫通孔に順次貫通し、ナットを前記大径貫通孔に嵌挿し、前記偏心軸杆と螺着し、前記偏心枢着軸の頭部を回転せしめると、前記棒刃に対し前記櫛刃がスライドして、前記棒刃の梳刃と前記櫛刃の梳刃との噛み合せが変化するように組立てることを特徴とする調髪用梳き鋏。
【請求項２】
前記櫛刃の梳刃は、凹状部と凸状部とを交互に連接せしめることを特徴とする請求項１記載の調髪用梳き鋏。
【請求項３】
前記偏心枢着軸の頭部の表面に、ポインターを複数形成せしめることを特徴とする請求項１又は同２記載の調髪用梳き鋏。
【請求項４】
前記ポインターは、前記偏心枢着軸の頭部に予め付記されており、且左側方部と、下側方部と、右側方部に位置せしめ、前記左側方部にポインターが位置するときは、櫛刃が微動して前記櫛刃を構成する全部の梳刃をもって毛髪をカットし、前記ポインターが回転して下側方部に位置すると、櫛刃が微動して前記ポインターが左側方部に位置しているときよりも、前記櫛刃の梳刃のカット刃が少なくなって毛髪をカットし、前記ポインターが右側方部に位置すると、櫛刃が微動して前記ポインターが下側方部に位置しているときよりも前記カット刃がより小となり毛髪カット量が少なくなることを特徴とする請求項１又は同２又は同３記載の調髪用梳き鋏。
【請求項５】
前記頭部の裏面に接触する部位の前記櫛刃の表面部に、表面凹部を設け、前記表面凹部にボールを嵌挿し、前記偏心枢着軸の頭部の裏面に形成する裏面凹部に、前記ボールの一部を嵌挿せしめることを特徴とする請求項１又は同２又は同３又は同４記載の調髪用梳き鋏。
【請求項６】
前記偏心枢着軸を構成する頭部と嵌挿誘導部の中心より若干偏心せして軸杆貫通孔を形成し、前記軸杆貫通孔に、前記偏心軸杆を抜け出さないように嵌挿しナットを介して組立てることを特徴とする請求項１又は同２又は同３又は同４又は同５記載の調髪用梳き鋏。
【考案の詳細な説明】
【技術分野】
【０００１】
本考案は、調髪用梳き鋏の分野に関するものである。
【背景技術】
【０００２】
従来、両用理髪鋏として、実開昭６２−５０５５８の公開実用新案公報が開示されているが、この両用理髪鋏は、鋏１、２を枢着せしめる枢着部３が回転して鋏片２をスライドさせる機構ではない。
【０００３】
さらに、従来調髪用梳き鋏として、特開２０００−２７９６５４が開示されているが、この調髪用梳き鋏の軸着３は、回転して一対の鋏片の中、一方の鋏片をスライドさせることが可能な機構ではない。
【特許文献１】実開昭６２−５０５５８公開実用新案公報
【特許文献２】特開２０００−２７９６５４公開特許公報
【考案の開示】
【考案が解決しようとする課題】
【０００４】
しかるに、本考案が解決しようとする課題は、調髪用梳き鋏の棒刃と櫛刃とを交叉状に枢着する回転可能にして、且偏心する枢着軸の頭部を所定の角度宛回転させることによって、櫛刃が微動して櫛刃を構成する梳刃が微動して所望する毛髪の梳き量を一本の鋏で梳くことができるようにした。
【課題を解決するための手段】
【０００５】
課題を解決するための手段として、請求項１記載の考案は、梳刃１を並列する棒刃ａと、梳刃２を並列する櫛刃ｂを交叉状に偏心する偏心枢着軸ｃを枢着せしめる開閉自在な調髪用梳き鋏において、前記棒刃ａは、前記偏心枢着軸ｃが前記棒刃ａに前記偏心軸杆ｃを構成する雄ネジ付き偏心軸杆５が貫通する大径貫通孔６ａと中径貫通孔６ｃとを順次形成し、前記櫛刃ｂは、前記偏心枢着軸ｃを構成する頭部４の裏面４ａより突設する嵌挿誘導部６と前記偏心軸杆５が貫通する貫通孔６ｄを形成し、前記偏心枢着軸ｃは、前記偏心軸杆５を前記頭部４の中心よりも偏心させて垂下状に突設せしめ、前記偏心枢着軸ｃの偏心軸杆５の前記嵌挿誘導部６と前記偏心軸杆５を前記貫通孔６ｄから前記棒刃ａの中径貫通孔６ｃと大径貫通孔６ａに順次貫通し、ナット１４を前記大径貫通孔６ａに嵌挿して前記偏心軸杆５と螺着し、前記偏心枢着軸ｃの頭部４を回転せしめると、前記棒刃ａに対し前記櫛刃ｂがスライドして、前記棒刃ａの梳刃１と前記櫛刃ｂの梳刃２との噛み合せが変化するように組立てる調髪用梳き鋏である。
【０００６】
請求項２記載の考案は、前記櫛刃ｂの梳刃２は、凹状部２ａと凸状部２ｂとを交互に連接せしめることを特徴とする請求項１記載の調髪用梳き鋏である。
【０００７】
請求項３記載の考案は、前記偏心枢着軸ｃの頭部４の表面４ａに、ポインター７を複数形成せしめることを特徴とする請求項１又は同２記載の調髪用梳き鋏である。
【０００８】
請求項４記載の考案は、前記ポインター７は、前記偏心枢着軸ｃの頭部４に予め付記されており、且左側方部と、下側方部と、右側方部に位置せしめ、前記左側方部にポインター７が位置するときは、櫛刃ｂが微動して前記櫛刃ｂを構成する全部の梳刃２をもって毛髪をカットし、前記ポインター７が回転して下側方部に位置すると、櫛刃ｂが微動して前記ポインター７が左側方部に位置しているときよりも、前記櫛刃ｂの梳刃２のカット刃が少なくなって毛髪をカットし、前記ポインター７が右側方部に位置すると、櫛刃ｂが微動して前記ポインター７が下側方部に位置しているときよりも前記カット刃がより小となり毛髪カット量が少なくなることを特徴とする請求項１又は同２又は同３記載の調髪用梳き鋏である。
【０００９】
請求項５記載の考案は、前記頭部４の裏面部４ａに接触する部位の前記櫛刃ｂの表面部１０に、表面凹部１１ａを設け、前記表面凹部１１ａにボール１２を嵌挿し、前記偏心枢着軸ｃの頭部４の裏面４ａに形成する裏面凹部１３に、前記ボール１２の一部を嵌挿せしめることを特徴とする請求項１又は同２又は同３又は同４記載の調髪用梳き鋏である。
【００１０】
請求項６記載の考案は、前記偏心枢着軸ｃを構成する頭部４と嵌挿誘導部６の中心より若干偏心せして軸杆貫通孔４ｃを形成し、前記軸杆貫通孔４ｃに、前記偏心軸杆５を抜け出さないように嵌挿しナット１４を介して組立てることを特徴とする請求項１又は同２又は同３又は同４又は同５記載の調髪用梳き鋏である。
【考案の効果】
【００１１】
請求項１記載の考案は、梳刃１を並列する棒刃ａと、梳刃２を並列する櫛刃ｂを交叉状に偏心する偏心枢着軸ｃを枢着せしめる開閉自在な調髪用梳き鋏において、前記棒刃ａは、前記偏心枢着軸ｃが前記棒刃ａに前記偏心軸杆ｃを構成する雄ネジ付き偏心軸杆５が貫通する大径貫通孔６ａと中径貫通孔６ｃとを順次形成し、前記櫛刃ｂは、前記偏心枢着軸ｃを構成する頭部４の裏面４ａより突設する嵌挿誘導部６と前記偏心軸杆５が貫通する貫通孔６ｄを形成し、前記偏心枢着軸ｃは、前記偏心軸杆５を前記頭部４の中心よりも偏心させて垂下状に突設せしめ、前記偏心枢着軸ｃの偏心軸杆５の前記嵌挿誘導部６と前記偏心軸杆５を前記貫通孔６ｄから前記棒刃ａの中径貫通孔６ｃと大径貫通孔６ａに順次貫通し、ナット１４を前記大径貫通孔６ａに嵌挿して前記偏心軸杆５と螺着し、前記偏心枢着軸ｃの頭部４を回転せしめると、前記棒刃ａに対し前記櫛刃ｂがスライドして、前記棒刃ａの梳刃１と前記櫛刃ｂの梳刃２との噛み合せが変化するように組立てる調髪用梳き鋏なので、前記枢着軸の頭部を所定の角度毎に回転することによって、櫛刃の梳刃と、前記棒刃の梳刃との噛み合せをコントロールして、毛髪の梳くためのカット量を一本の調髪用梳き鋏で増減可能にしたものである。
【００１２】
さらに、本考案の梳き鋏は、従来の調髪用梳き鋏のように、毛髪の梳き量に応じた各種調髪用鋏を予め取揃えておく必要がなくなった。
【００１３】
また、本考案の梳き鋏は、偏心枢着軸の頭部と偏心軸杆とを夫々別設したので、製品作りの能率化と精度を著しく高める利点がある。
【００１４】
請求項２記載の考案は、前記櫛刃ｂの梳刃２は、凹状部２ａと凸状部２ｂとを交互に連接せしめる調髪用梳き鋏なので、前記請求項１記載の考案の効果と同じ効果を有している。
【００１５】
請求項３記載の考案は、前記偏心枢着軸ｃの頭部４の表面４ａに、ポインター７を複数形成せしめる調髪用梳き鋏なので、枢着軸の偏心軸杆の回動を正確な位置にストップさせて、各種毛髪の梳き量をコントロールする利点を有している。
【００１６】
さらに、本考案は、請求項１又は同２又は同３記載の効果と同じ効果を有している。
【００１７】
請求項４記載の考案は、前記ポインター７は、前記偏心枢着軸ｃの頭部４に予め付記されており、且左側方部と、下側方部と、右側方部に位置せしめ、前記左側方部にポインター７が位置するときは、櫛刃ｂが微動して前記櫛刃ｂを構成する全部の梳刃２をもって毛髪をカットし、前記ポインター７が回転して下側方部に位置すると、櫛刃ｂが微動して前記ポインター７が左側方部に位置しているときよりも、前記櫛刃ｂの梳刃２のカット刃が少なくなって毛髪をカットし、前記ポインター７が右側方部に位置すると、櫛刃ｂが微動して前記ポインター７が下側方部に位置しているときよりも前記カット刃がより小となり毛髪カット量が少なくなる調髪用梳き鋏なので、前記請求項１又は同２又は同３記載の効果と同じ効果を有している。
【００１８】
請求項５記載の考案は、、前記頭部４の裏面部４ａに接触する部位の前記櫛刃ｂの表面部１０に、表面凹部１１ａを設け、前記表面凹部１１ａにボール１２を嵌挿し、前記偏心枢着軸ｃの頭部４の裏面４ａに形成する裏面凹部１３に、前記ボール１２の一部を嵌挿せしめる調髪用梳き鋏なので、梳け毛の増減、調整を行うための前記枢着軸の回転位置を決めをスムーズに処理できる利点を有している。
【００１９】
さらに、本考案は、前記請求項１又は同２又は同３又は同４記載の効果と同じ効果を有している。
【００２０】
請求項６記載の考案は、前記偏心枢着軸ｃを構成する頭部４と嵌挿誘導部６の中心より若干偏心せして軸杆貫通孔４ｃを形成し、前記軸杆貫通孔４ｃに、前記偏心軸杆５を抜け出さないように嵌挿しナット１４を介して組立てる調髪用梳き鋏なので、前記請求項１又は同２又は同３又は同４又は同５記載の効果と同じ効果を有している。
【考案を実施するための最良の形態】
【００２１】
本考案の請求項１〜６記載の考案に関する実施の形態は共通しているので、以下のとおり一括して説明する。
【００２２】
図において、ａは梳刃１を並列する棒刃である。
【００２３】
ｂは梳刃２を並列する櫛刃である。前記梳刃２は、凹状部２ａと凸状部２ｂとから形成されている。
【００２４】
本考案の図面は、凹状部２ａが３個、凸状部２ｂが４個交互に連続形成させている。
【００２５】
前記棒刃ａと櫛刃ｂとは、交叉状に偏心した偏心枢着軸ｃを介して開閉自在に枢着せしめる。
【００２６】
前記偏心枢着軸ｃは、頭部４を有し、且頭部４の裏面部４ａの中心より偏心する偏心軸杆５を突設する。前記偏心軸杆５の下方部に雄ネジを設ける。
【００２７】
前記棒刃ａには、前記偏心軸杆５が貫通する大径貫通孔６ａを形成する。
【００２８】
さらに、前記棒刃ａには、前記大径貫通孔６ａより小径状の中径貫通孔６ｃを形成する。
【００２９】
前記櫛刃ｂには、前記偏心枢着軸ｃを構成する頭部４の裏面４ａより突設する嵌挿誘導部６と前記偏心軸杆５とが貫通する貫通孔６ｄを形成する。
【００３０】
また、前記偏心枢着軸ｃの頭部４の表面４ａには、ポインター７を形成せしめる。
【００３１】
前記偏心枢着軸ｃは、前記偏心軸杆５を前記頭部４の中心よりも偏心させて垂下状に突設する。
【００３２】
さらに、ネジ付き偏心軸杆５は、前記嵌挿誘導部６を前記嵌挿部６ａに嵌挿し、前記偏心軸杆５を前記貫通孔６ｄから前記棒刃ａの中径貫通孔６ｃと大径貫通孔６ａへと順次貫通する。そしてナット１２を前記大径貫通孔６ａに嵌挿して前記偏心軸杆５の先端部のネジと螺着する。
【００３３】
さらに、前記櫛刃ｂの表面部１０に、表面凹部１１ａを設け、前記表面凹部１１ａにボール１２を嵌挿し、前記枢着軸ｃの頭部４の裏面４ａに形成する裏面凹部１３に、前記ボール１２の一部を嵌挿せしめる。その結果、前記ポインター７が、右側方部と、下側方部と、左側方部の夫々の部位に位置すると、前記偏心枢着軸ｃの偏心軸杆５の位置決めが確実になる。
【００３４】
前記のように両刃ａ、ｂが組立てられると、前記頭部４のポインター７は、左側方部もしくは下側方部もしくは右側方部に回動し、位置決めをする構成となっている。
【００３５】
前記ポインター７は、前記したとおり、３つのパターンで左側方から下側方へ、さらに右側方に若干の角度宛回動するものであるが、その際、偏心枢着軸ｃの偏心軸杆５が偏心しているので、前記の回動に比例して両刃ａ、ｂの刃先１５、１５ａが夫々合致した状態から変化する。そして、前記ポインター７の回動に比例して、前記櫛刃ｂの梳刃２を構成する凹状部２ａと凸状部２ｂに変化を与える。
【００３６】
即ち、ポインター７が左側方部に位置しているときは、両刃ａ、ｂの刃先１５、１５ａは揃っており、そしてカット作業をすると、前記棒刃ａの梳刃３と前記櫛刃ｂの梳刃２とが噛合されて最も多くの毛髪を梳くことができる。
【００３７】
さらに、ポインター７を回動して下側方部に位置すると、前記両刃ａ、ｂの刃先１５、１５ａが、櫛刃ｂが偏心軸杆５の回動によって、微動し、前記両刃ａ、ｂの刃先１５、１５ａが不揃え状態となる。そしてカット作業をすると、前記ポインター７の位置のときよりも、少量の毛髪を梳くことができる。
【００３８】
また、前記ポインター７が回動して右側方部に位置するときは、前記櫛刃ｂの刃先がさらに延設し、前記よりも最も少ない毛髪しか梳くことができない。
【００３９】
本考案の調髪用梳き鋏は、１本で前記のように、毛髪を梳く量を大目、中目、少目と３段階にカットができる。
【００４０】
しかし、本考案は、前記櫛刃ｂの梳刃２のカット刃の凹状部２ａと凸状部２ｂを、図面よりも多く形成し、前記偏心軸杆５を有する枢着軸ｃの回転角度の設計を変更することも可能できる。
【００４１】
本考案の鋏は、前記棒刃ａに対し前記櫛刃ｂがスライドして、前記棒刃ａの梳刃１と前記櫛刃ｂの梳刃２の噛合せが変化するように組立てられている。
【図面の簡単な説明】
【００４２】
【図１】本考案調髪用梳き鋏の組立て状態を示す正面図である。
【００４３】
【図２】同鋏の背面図である。
【００４４】
【図３】同鋏の一部切欠拡大縦断面図である。
【００４５】
【図４】同枢着軸を構成する頭部の裏面図である。
【００４６】
【図５】図４の頭部の正面図である。
【００４７】
【図６】同鋏の要部の一部切欠拡大正面図である。
【００４８】
【図７】同櫛刃の正面図である。
【００４９】
【図８】同棒刃の正面図である。
【００５０】
【図９】同鋏の要部であるポインターの位置を示す一部切欠拡大平面図である。
【００５１】
【図１０】図９の同刃の刃先状態を示す一部切欠拡大正面図である。
【００５２】
【図１１】同鋏のポインターが下側方部に回動したときの一部切欠拡大正面図である。
【００５３】
【図１２】図１１の鋏の両刃の刃先が移動した状態を示す一部切欠拡大正面図である。
【００５４】
【図１３】ポインターが左側方部に位置したときの一部切欠拡大正面図である。
【００５５】
【図１４】図１３における両刃の刃先が移動している状態を示す一部切欠拡大正面図である。
【符号の説明】
【００５６】
ａ      棒刃
ｂ      櫛刃
ｃ      偏心枢着軸
１      梳刃
２      梳刃
２ａ    凹状部
２ｂ    凸状部
４      頭部
４ａ    表面
４ｂ    裏面
４ｃ    軸杆貫通孔
５      偏心軸杆
６      嵌挿誘導部
６ａ    大径嵌挿孔
６ｃ    中径貫通孔
６ｄ    嵌挿部
６ｅ    貫通孔
７      ポインター
１０    表面部
１１ａ  表面凹部
１２    ボール
１３    裏面凹部
１４    ナット
１５    刃先
１５ａ  刃先
【図１】
0003136942.tif 000003
【図２】
0003136942.tif 000004
【図３】
0003136942.tif 000005
【図４】
0003136942.tif 000006
【図５】
0003136942.tif 000007
【図６】
0003136942.tif 000008
【図７】
0003136942.tif 000009
【図８】
0003136942.tif 000010
【図９】
0003136942.tif 000011
【図１０】
0003136942.tif 000012
【図１１】
0003136942.tif 000013
【図１２】
0003136942.tif 000014
【図１３】
0003136942.tif 000015
【図１４】
0003136942.tif 000016